(57)【特許請求の範囲】
【請求項１】
ラインタイプの照明装置において、
設置台上面に固定されて一面が開口された収容空間が内部に形成されているハウジング、および該ハウジングの前記収容空間の内側に長さ方向に配置される電源供給端子を有する設置レールと、
前記電源供給端子に電気的に接続する電源接続端子、および該電源接続端子と電気的に連結される発光素子を有し、前記ハウジングの前記収容空間に着脱可能に組み立てられる少なくとも１つのラインタイプの照明モジュールと、
前記ハウジングの前記収容空間の開口を閉じるように前記ハウジングに着脱可能に組み立てられる透光カバーとを備え、
前記設置レール側には第１結合部が形成され、
前記照明モジュールには前記第１結合部に対応する位置に第２結合部が設けられ、
前記第１結合部および前記第２結合部は前記照明モジュールが前記ハウジングの前記収容空間に収容された状態で相互に噛み合うことを特徴とするラインタイプの照明装置。
【請求項２】
前記設置レールが、前記ハウジングの端部に組み立てられるエンドギャップをさらに有し、
該エンドギャップには、導電性材質からなる前記ハウジングと外部接地ラインとを連結する接地プラグが形成されることを特徴とする請求項１に記載のラインタイプの照明装置。
【請求項３】
前記エンドギャップが前記ハウジングの前記電源接続端子と外部電源ラインとを連結する電源プラグをさらに有することを特徴とする請求項２に記載のラインタイプの照明装置。
【請求項４】
前記電源供給端子が、前記ハウジングの前記収容空間内で開口側に対向する面に長さ方向に配置され、
前記電源接続端子は、前記照明モジュールが前記ハウジングに結合した状態で、前記電源接続端子の側面部が前記電源供給端子の側面部に接触するように前記照明モジュールの上面に配置されることを特徴とする請求項１に記載のラインタイプの照明装置。
【請求項５】
前記電源供給端子が、前記ハウジングの前記収容空間内に収容される絶縁部材によって、前記ハウジングと電気的に絶縁されることを特徴とする請求項１に記載のラインタイプの照明装置。
【請求項６】
前記第１結合部および前記第２結合部には、相互に対向する面に互いに噛み合う突起部がそれぞれ形成され、
前記第２結合部の前記突起部の両端部には、前記第２結合部の分離を案内するための傾斜面が形成されることを特徴とする請求項１に記載のラインタイプの照明装置。
【請求項７】
前記電源供給端子は、前記ハウジングの前記収容空間内に収容される絶縁部材のレール溝に収容されて前記ハウジングと電気的に絶縁され、
前記レール溝には、前記電源接続端子に向かう側面部に前記電源供給端子を露出させる開口溝が形成されることを特徴とする請求項１に記載のラインタイプの照明装置。
【請求項８】
前記電源供給端子および前記電源接続端子は、それぞれ一対からなって相互に並んで離隔配置され、
前記電源供給端子および前記電源接続端子のうちのいずれか一方が、他方間の離隔された空間に挿入されるように配置されることを特徴とする請求項４に記載のラインタイプの照明装置。
【請求項９】
前記電源接続端子は、前記電源供給端子間の離隔された空間に挿入され、前記一対の電源接続端子間には、弾性材質の弾性部材が挿入されて前記電源接続端子を前記電源供給端子に向かって弾性支持することを特徴とする請求項８に記載のラインタイプの照明装置。
【請求項１０】
前記照明モジュールには、前記一対の電源接続端子を囲んで、前記電源供給端子間の前記離隔された空間に収容される突出挿入部が突出形成され、該突出挿入部の電源供給端子と対向する面に開口孔が形成され、
前記電源接続端子には、前記開口孔を介して前記突出挿入部の外側に突出して、前記電源供給端子に接触する接触突起が形成されることを特徴とする請求項９に記載のラインタイプの照明装置。
【請求項１１】
前記設置レールが前記ハウジングの側面部に着脱可能に結合する側面部材をさらに有することを特徴とする請求項１に記載のラインタイプの照明装置。
【請求項１２】
前記側面部材の下端には、前記設置台上面の設置溝周辺の外側に密着する掛かり顎部が折曲形成されることを特徴とする請求項１１に記載のラインタイプの照明装置。
【請求項１３】
前記設置レールは、両側面に弾性片が傾斜配置された状態で前記ハウジングの上面に固定され、前記設置台上面の前記設置溝周辺の内側に密着する固定部材をさらに有することを特徴とする請求項１２に記載のラインタイプの照明装置。
【請求項１４】
前記固定部材が調節部材によって前記設置台上面の厚さ方向に位置調節されることを特徴とする請求項１２に記載のラインタイプの照明装置。
【請求項１５】
前記側面部材および前記ハウジングの結合面には、着脱可能に相互に噛み合う第１締結部と第２締結部とが前記ハウジングの長さ方向に並んで離隔配置されることを特徴とする請求項１４に記載のラインタイプの照明装置。
【請求項１６】
前記設置レールは、挿入本体と前記電源接続端子を備える連結部材とをさらに有し、
前記挿入本体は、隣接配置される前記一対のハウジングの前記収容空間にそれぞれ垂直方向に着脱可能に挿入され、
前記電源接続端子が前記挿入本体に固定されて両側前記ハウジングの前記電源供給端子にそれぞれ接続することを特徴とする請求項１に記載のラインタイプの照明装置。
【請求項１７】
前記連結部材の前記挿入本体および前記電源接続端子は、複数設けられて隣接配置される前記一対のハウジングの前記収容空間にそれぞれ挿入され、
複数設けられた前記電源接続端子が導電性ケーブルによってそれぞれ連結されることを特徴とする請求項１６に記載のラインタイプの照明装置。
【請求項１８】
前記連結部材は、両側端部の枠が前記挿入本体の端部の枠にそれぞれ固定される可撓性チューブをさらに備えることを特徴とする請求項１７に記載のラインタイプの照明装置。
【請求項１９】
前記挿入本体および前記ハウジングの相互に対向する面には、前記挿入本体が前記ハウジングの前記収容空間に挿入された状態で相互に噛み合う第１結合部と第２結合部とが形成されることを特徴とする請求項１６に記載のラインタイプの照明装置。
【請求項２０】
前記照明モジュールが前記ハウジングの前記収容空間に挿入された状態で、前記照明モジュールと前記ハウジングとの間には、前記挿入本体が収容される離隔空間が形成されることを特徴とする請求項１６に記載のラインタイプの照明装置。
【発明の詳細な説明】
【技術分野】
【０００１】
本発明は、ラインタイプの照明装置に関する。より詳しくは、照明モジュールを設置するための設置レールを構成するにおいて、複数のハウジングを簡便に連結し、構造的な連結過程で電気的な連結を同時にすることにより、簡便に施工することができるラインタイプの照明装置に関する。
【背景技術】
【０００２】
一般的な照明灯（ｌａｍｐ）として使用している蛍光灯は、照度が低く、エネルギー効率が劣るという短所があるため、近年はこれらより相対的に照度が高く消費電力が低い照明灯として発光ダイオード（以下、「ＬＥＤ」と総称する）を利用する照明モジュールが多く使用されている。
【０００３】
しかし、このようなＬＥＤ照明モジュールは、ほとんど既存の蛍光灯の外形をそのまま維持しつつ、既存の蛍光灯用の灯具に蛍光灯の代わりに取り替えて使用できるように構成されている。したがって、着脱時に照明モジュールの両側端部に設けられた端子を灯具のソケットに挿し込んだ状態で回転させる方式で灯具に結合または分離する、既存の蛍光灯とソケットとの結合構造が有する不便さをそのまま維持するしかない問題点がある。
【０００４】
また、このようなＬＥＤ照明モジュールを用いてラインタイプの照明を構成する場合には、照明モジュールが配置される領域とソケット部分が配置される領域との間に照度差が発生して連続するライン形態の照明を提供することができない問題がある。
【０００５】
また、ラインタイプの照明を構成するために、バータイプのＬＥＤ照明モジュールが提案されたこともあったが、このようなＬＥＤ照明モジュールは、電源を供給するためのソケットが側面に位置する。したがって、複数のＬＥＤ照明モジュールが一列に並んで配置された状態で、いずれか１つのＬＥＤ照明モジュールを分離するためには、一端のＬＥＤ照明モジュールから該当ＬＥＤ照明モジュールまですべて分離し、該当ＬＥＤ照明モジュールを交替した後は、先に分離したＬＥＤ照明モジュールを再び結合しなければならないという問題点がある。
【０００６】
また、従来のラインタイプの照明装置は、施工対象面の角に一対の照明モジュール設置用のレールが所定の夾角を有するように配置された状態で、設置レールの各端部をそれぞれ傾斜方向に切断して接する状態で施工した後、両側の設置レールの電源供給端子を電気的に連結するための配線作業を別途に行った。
【０００７】
しかし、このような作業は、レールの各端部を現場で傾斜方向に切断し、各設置レールの電源供給端子を連結するための配線を施工しなければならないため、設置過程が複雑で施工が難しい問題がある。
【０００８】
一方、このような問題を解消するために設置レール連結用の角部材をあらかじめ製作して、設置レールの端部を傾斜方向に切断する過程を省略する施工方法が提案されたが、このような角部材は６０°，９０°，１２０°などの形態であらかじめ製作されて提供されるものであるため、角部材の角度に応じて照明配置をしなければならない限界がある。
【０００９】
特に、空間の天井枠に沿ってラインタイプの照明を設置するにおいて、設置台上面の角の角度と角部材の角度と差が発生する場合には、一方の角から誤差が発生して反対側に進行するほど誤差範囲が拡大され、照明ラインが空間の枠と漸進的に離隔されるため施工品質が低下する問題がある。
【００１０】
また、前記のような角部材を用いても、各設置レールの電源供給端子を電気的に連結するための配線工事を別途に実施しなければならない問題は、依然として常在することになる。
【発明の概要】
【発明が解決しようとする課題】
【００１１】
したがって、本発明の目的は、このような従来の問題点を解決するためのものであって、設置レールと照明モジュールとが簡便に組み立ておよび分離することができるとともに、構造的連結および電気的接続が安定的になされることができるラインタイプの照明装置を提供することである。
【００１２】
本発明の他の目的は、ハウジングの端部にエンドギャップを単純に結合することによって、電源供給端子と外部電源ラインとが連結され、ハウジングと外部接地ラインとが連結されることによって、電気配線や施工の不便さおよび感電の危険を最小限に抑えることができるラインタイプの照明装置を提供することである。
【００１３】
また、本発明の他の目的は、ハウジングの内部に配置される電源供給端子が開口部に向かって露出しないようにすることによって、作業者が作業中に感電することを防止することができるラインタイプの照明装置を提供することである。
【００１４】
また、本発明の他の目的は、照明モジュールに設けられる一対の電源接続端子が相互電気的に連結されることを防止するとともに、電源接続端子が電源供給端子に向かって弾性支持されることによって、電気事故の危険を最小限に抑えることができるラインタイプの照明装置を提供することである。
【００１５】
また、本発明の他の目的は、照明モジュールが垂直方向に挿入および分離されるため、複数の照明モジュールを一列に配置してラインタイプの照明を構成した状態で、いずれか１つの照明モジュールを分離または再挿入することが容易であるため、簡便に維持・保守することができるラインタイプの照明装置を提供することである。
【００１６】
また、本発明の他の目的は、照明モジュールを設置するための設置レールを構成するにおいて、複数のハウジングが簡便に連結され、構造的な連結過程で電気的な連結を同時にすることによって、簡便に施工することができるラインタイプの照明装置を提供することである。
【００１７】
また、本発明の他の目的は、角のようにハウジングが所定の夾角を有するように配置される場合にも、ハウジングの夾角に応じて自由に電気的に連結されることができるラインタイプの照明装置を提供することである。
【００１８】
また、本発明の他の目的は、複数設けられる挿入本体の第２接続端子をそれぞれ連結する導電性ケーブルが露出しないようにすることによって、製品の品位を向上させることができるラインタイプの照明装置を提供することである。
【課題を解決するための手段】
【００１９】
前記目的は、設置台上面に固定されて一面が開口された収容空間が内部に形成されているハウジング、および該ハウジングの前記収容空間の内側に長さ方向に配置される電源供給端子を有する設置レールと、前記電源供給端子に電気的に接続する電源接続端子、および該電源接続端子と電気的に連結される発光素子を有し、前記ハウジングの前記収容空間に着脱可能に組み立てられる少なくとも１つのラインタイプの照明モジュールと、前記ハウジングの前記収容空間の開口を閉じるように前記ハウジングに着脱可能に組み立てられる透光カバーとを備えることを特徴とするラインタイプの照明装置によって達成される。
【００２０】
ここで、前記設置レールが、前記ハウジングの端部に組み立てられるエンドギャップをさらに有し、前記エンドギャップには、導電性材質からなる前記ハウジングと外部接地ラインとを連結する接地プラグが形成されることが望ましい。
また、前記エンドギャップは、ハウジングの電源接続端子と外部電源ラインを連結する電源プラグをさらに含むことが望ましい。
【００２１】
また、前記電源供給端子が、前記ハウジングの前記収容空間内で開口側に対向する面に長さ方向に配置され、前記電源接続端子は、前記照明モジュールが前記ハウジングに結合した状態で、前記電源接続端子の側面部が前記電源供給端子の側面部に接触するように前記照明モジュールの上面に配置されることが望ましい。
【００２２】
また、前記電源供給端子が、前記ハウジングの前記収容空間内に収容される絶縁部材によって、前記ハウジングと電気的に絶縁されることが望ましい。
【００２３】
また、前記設置レール側には第１結合部が形成され、前記照明モジュールには前記第１結合部に対応する位置に第２結合部が設けられ、前記第１結合部および前記第２結合部は前記照明モジュールが前記ハウジングの前記収容空間に収容された状態で相互に噛み合うことが望ましい。
【００２４】
また、前記第１結合部および前記第２結合部には、相互に対向する面に互いに噛み合う突起部がそれぞれ形成され、前記第２結合部の前記突起部の両端部には、前記第２結合部の分離を案内するための傾斜面が形成されることが望ましい。
【００２５】
また、前記電源供給端子は、前記ハウジングの前記収容空間内に収容される絶縁部材のレール溝に収容されて前記ハウジングと電気的に絶縁され、前記レール溝には、前記電源接続端子に向かう側面部に電源供給端子を露出させる開口溝が形成されることが望ましい。
【００２６】
また、前記電源供給端子および前記電源接続端子は、それぞれ一対からなって相互に並んで離隔配置され、前記電源供給端子および前記電源接続端子のうちのいずれか一方が、他方間の離隔された空間に挿入されるように配置されることが望ましい。
【００２７】
また、前記電源接続端子は、前記電源供給端子間の離隔された空間に挿入され、前記一対の電源接続端子間には、弾性材質の弾性部材が挿入されて前記電源接続端子を前記電源供給端子に向かって弾性支持することが望ましい。
【００２８】
また、前記照明モジュールには、前記一対の電源接続端子を囲んで、前記電源供給端子間の離隔された空間に収容される突出挿入部が突出形成され、該突出挿入部の電源供給端子と対向する面に開口孔が形成され、前記電源接続端子には、前記開口孔を介して前記突出挿入部の外側に突出して、前記電源供給端子に接触する接触突起が形成されることが望ましい。
【００２９】
また、前記設置レールが前記ハウジングの側面部に着脱可能に結合する側面部材をさらに含むことが望ましい。
【００３０】
また、前記側面部材の下端には、前記設置台上面の設置溝周辺の外側に密着する掛かり顎部が折曲形成されることが望ましい。
また、前記設置レールは、両側面に弾性片が傾斜配置された状態で前記ハウジングの上面に固定され、前記設置台上面の前記設置溝周辺の内側に密着する固定部材をさらに有することが望ましい。
【００３１】
また、前記固定部材が調節部材によって前記設置台上面の厚さ方向に位置調節されることが望ましい。
【００３２】
また、前記側面部材および前記ハウジングの結合面には、着脱可能に相互に噛み合う前記第１締結部と前記第２締結部とが前記ハウジングの長さ方向に並んで離隔配置されることが望ましい。
【００３３】
また、前記設置レールは、挿入本体と前記電源接続端子を備える連結部材とをさらに有し、前記挿入本体は、隣接配置される前記一対のハウジングの前記収容空間にそれぞれ垂直方向に着脱可能に挿入され、前記電源接続端子が前記挿入本体に固定されて両側前記ハウジングの前記電源供給端子にそれぞれ接続することが望ましい。
【００３４】
また、前記連結部材の前記挿入本体および前記電源接続端子は、複数設けられて隣接配置される前記一対のハウジングの前記収容空間にそれぞれ挿入され、複数設けられた前記電源接続端子は、導電性ケーブルによってそれぞれ連結されることが望ましい。
【００３５】
また、前記連結部材は、両側端部の枠が前記挿入本体の端部の枠にそれぞれ固定される可撓性チューブをさらに備えることが望ましい。
【００３６】
また、前記挿入本体および前記ハウジングの相互に対向する面には、前記挿入本体が前記ハウジングの前記収容空間に挿入された状態で相互に噛み合う第１結合部と第２結合部とが形成されることが望ましい。
【００３７】
また、前記照明モジュールが前記ハウジングの前記収容空間に挿入された状態で、前記照明モジュールと前記ハウジングとの間には、前記挿入本体が収容される離隔空間が形成されることが望ましい。
【発明の効果】
【００３８】
本発明によれば、設置レールと照明モジュールとが簡便に組み立ておよび分離することができるとともに、構造的連結および電気的接続が安定的になされることができるラインタイプの照明装置が提供される。
【００３９】
また、ハウジングの端部にエンドギャップを単純に結合することによって、電源供給端子と外部電源ラインとが連結され、ハウジングと外部接地ラインとが連結されることによって、電気配線や施工の不便さおよび感電の危険を最小限に抑えることができるラインタイプの照明装置が提供される。
【００４０】
また、ハウジングの内部に配置される電源供給端子が開口部に向かって露出しないようにすることによって、作業者が作業中に感電することを防止することができるラインタイプの照明装置が提供される。
【００４１】
また、照明モジュールに設けられる一対の電源接続端子が相互電気的に連結されることを防止するとともに、電源接続端子が電源供給端子に向かって弾性支持されることによって、短絡やスパーク発生の危険を最小限に抑えることができるラインタイプの照明装置が提供される。
【００４２】
また、照明モジュールがハウジングの収容空間に垂直方向に挿入および分離されるため、複数の照明モジュールを一列に配置してラインタイプの照明を構成した状態で、いずれか１つの照明モジュールを分離または再挿入することが容易であるため、簡便に維持・保守することができるラインタイプの照明装置が提供される。
【００４３】
また、照明モジュールを設置するための設置レールを構成するにおいて、複数のハウジングが簡便に連結され、構造的な連結過程で電気的な連結を同時にすることによって、簡便に施工することができるラインタイプの照明装置が提供される。
【００４４】
また、角のようにハウジングが所定の夾角を有するように配置される場合においても、ハウジングの夾角に応じて自由に電気的に連結することができるラインタイプの照明装置が提供される。
【００４５】
また、複数設けられる挿入本体の第２接続端子をそれぞれ連結する導電性ケーブルが露出しないようにすることによって、製品の品位を向上させることができるラインタイプの照明装置が提供される。
【図面の簡単な説明】
【００４６】
【図１】本発明の第１実施形態に係るラインタイプの照明装置の斜視図である。
【図２】本発明の第１実施形態に係るラインタイプの照明装置の分解斜視図である。
【図３】本発明の第１実施形態に係るラインタイプの照明装置による設置レールの分解斜視図である。
【図４】本発明の第１実施形態に係るラインタイプの照明装置による照明モジュールの分解斜視図である。
【図５】本発明の第１実施形態に係るラインタイプの照明装置の側断面図である。
【図６】図５の「Ａ」部分の拡大図である。
【図７】本発明の第１実施形態に係るラインタイプの照明装置の正断面図である。
【図８】図７のＡ−Ａ’線の断面図である。
【図９−１０】本発明の第１実施形態に係るラインタイプの照明装置の設置レールから照明モジュールを分離する過程を示す作用図である。
【図１１】本発明の第１実施形態に係るラインタイプの照明装置の電源供給端子から電源接続端子が離脱する過程を示す作用図である。
【図１２】本発明の第２実施形態に係るラインタイプの照明装置の分解斜視図である。
【図１３】本発明の第２実施形態に係る連結部材の分解斜視図である。
【図１４】本発明の第２実施形態に係るラインタイプの照明装置の側断面図である。
【図１５】本発明の第２実施形態に係るラインタイプの照明装置の平断面図である。
【図１６】本発明の第３実施形態に係るラインタイプの照明装置の側面部材の適用状態を示す断面図である。
【図１７−１８】本発明の第３実施形態に係るラインタイプの照明装置の適用例を示す断面図である。
【発明を実施するための形態】
【００４７】
説明に先立ち、様々な実施形態において、同一の構成を有する構成要素については、同一の符号を使用して代表的に第１実施形態で説明し、その他の実施形態では第１実施形態と異なる構成について説明することにする。
【００４８】
以下、添付した図面を参照して、本発明の第１実施形態に係るラインタイプの照明装置について詳細に説明する。
【００４９】
添付図面のうち、図１は本発明の第１実施形態に係るラインタイプの照明装置の斜視図であり、図２は本発明の第１実施形態に係るラインタイプの照明装置の分解斜視図であり、図３は本発明の第１実施形態に係るラインタイプの照明装置に係る設置レールの分解斜視図であり、図４は本発明の第１実施形態に係るラインタイプの照明装置による照明モジュールの分解斜視図である。
【００５０】
図面に示すような本発明の第１実施形態に係るラインタイプの照明装置は、大きく設置台上面に設置される設置レール１００と、設置レール１００に着脱可能に組み立てられる複数の照明モジュール２００と、設置レール１００の開口領域を閉じる透光カバー３００とを備えて構成される。
【００５１】
設置レール１００は、ハウジング１１０と、該ハウジング１１０内に固定される絶縁部材１２０と、該絶縁部材１２０に固定されてハウジング１１０と電気的に絶縁される電源供給端子１３０と、ハウジング１１０の端部を閉じるエンドギャップ１４０とを備えて構成される。
【００５２】
ハウジング１１０は、下部が開口された「コ」字状の断面構造からなり、下部が開口された収容空間１１１が内部に形成される。ハウジング１１０は、アルミニウムのような導電性の金属材質からなり、天井と同じ設置台上面に長さ方向に設置される。
【００５３】
絶縁部材１２０は、絶縁材質からなり、ハウジング１１０の内部収容空間１１１に設置され、収容空間１１１と向かい合う面には左右に並んで離隔された位置に一対のレール溝１２１が長さ方向に形成され、一対のレール溝１２１の間には収容溝１２２が設けられ、両側端部には長さ方向に溝形態の第１結合部１２３が形成される。レール溝１２１は電源供給端子１３０を囲む形態からなり、収容溝１２２と向かい合う面には、電源供給端子１３０を露出させる開口溝１２１ａが形成される。
【００５４】
電源供給端子１３０は、陽極の電極を供給するために一対に設けられて、絶縁部材１２０のレール溝１２１にそれぞれ収容され、絶縁部材１２０の開口溝１２１ａを介して収容溝１２２に向かって露出する。
【００５５】
エンドギャップ１４０は、ハウジング１１０の一端部に結合して端部開口側を閉じるものであって、ハウジング１１０の端部に挿入される部分には、ハウジング１１０に接触する接地プラグ１４１と、電源接続端子２４０に接触する電源プラグ１４２とが形成され、接地プラグ１４１は外部接地ラインと連結され、電源プラグ１４２は外部電源ラインと連結される。
【００５６】
照明モジュール２００は、ハウジング１１０に着脱可能に設置されて電源供給端子１３０から電源の供給を受けて発光するものであって、複数設けられてハウジング１１０の収容空間１１１に一列に配置される。
【００５７】
これらの照明モジュール２００は、上部開口部２１１および下部開口部２１２が上下にそれぞれ配置されて、ハウジング１１０の収容空間１１１に収容される本体２１０と、該本体２１０の上部開口部２１１を介して本体２１０の内部空間に固定される回路基板２２０と、該回路基板２２０に固定されるＳＭＰＳ２３０（ＳＭＰＳ;Ｓｗｉｔｃｈｉｎｇ  Ｍｏｄｅ  Ｐｏｗｅｒ  Ｓｕｐｐｌｙ）と、回路基板２２０の上側に垂直方向に固定設置されて、ＳＭＰＳ２３０と電気的に連結される電源接続端子２４０と、絶縁部材１２０の第１結合部１２３に噛み合う突起形態の第２結合部２６１が上面に形成されて、本体２１０の上部開口部２１１を閉じる上部カバー２６０と、本体２１０の下部開口部２１２の底面部に長さ方向に離隔配置され、回路基板２２０と電気的に連結される複数の発光素子２７０とを備えて構成される。
【００５８】
本体２１０は、上部本体と下部本体とに分割構成され、上部本体が金属材質で構成されて構造的剛性を維持するようにし、下部本体がプラスチックのような絶縁材質で構成され、使用者の感電危険を最小限に抑えることが望ましい。
【００５９】
一方、本体２１０の上面に組み立てられる上部カバー２６０には、照明モジュール２００がハウジング１１０の内部収容空間１１１に収容されることによって電源供給端子１３０間にある収容溝１２２に挿入される突出挿入部２６２が突出形成され、該突出挿入部２６２には、電源供給端子１３０と対向する面に開口孔２６２ａが形成される。
【００６０】
電源接続端子２４０は、一対で構成された電源供給端子１３０にそれぞれ電気的に接続するように一対で構成され、一対の電源供給端子１３０に対応する位置に配置される。これらの電源接続端子２４０の下端部は回路基板２２０に固定され、上端部は突出挿入部２６２の内側に固定されていない状態で配置される。また、電源接続端子２４０の上端部には、突出挿入部２６２の開口孔２６２ａを介して外側に突出し、電源供給端子１３０に接触する接触突起２４１が形成される。
【００６１】
一方、一対で構成された電源接続端子２４０間には、弾力を有するシリコンのような弾性部材２５０が配置され、該弾性部材２５０は、一対の電源接続端子２４０が電気的に連結されることを防止する一方、電源接続端子２４０が電源供給端子１３０に向かうように弾性支持する。
【００６２】
一方、上部カバー２６０は、照明モジュール２００がハウジング１１０の収容空間１１１に組み立てられた状態で、絶縁部材１２０と所定間隔離隔されるように配置され、上部カバー２６０の第２結合部２６１は、本体２１０の端部から本体２１０の中央に向かって所定間隔離隔された位置に配置される。また、第１結合部１２３および第２結合部２６１は、相互に対向する面には、互いに噛み合う突起部１２３ａ，２６１ａがそれぞれ形成され、第２結合部２６１の突起部２６１ａの両端部には、第２結合部２６１の分離を案内するための傾斜面２６１ｂが形成される。
【００６３】
一方、第２結合部２６１は、照明モジュール２００の長さが短い場合には、本体２１０の中央部分に配置されることができ、照明モジュールの長さが長い場合には、本体２１０の両側端部から中央部分に向かって所定間隔離隔された位置にそれぞれ配置されることができる。
【００６４】
透光カバー３００は、ハウジング１１０の開口を覆って収容空間１１１を閉じるものであって、複数の照明モジュール２００から提供される照明光の均一度を向上させることができるように光拡散材質からなるか、表面に光拡散用のプリズムパターンが形成されることが望ましい。
【００６５】
添付図面のうち、図５は本発明の第１実施形態に係るラインタイプの照明装置の側断面図であり、図６は図５の「Ａ」部分の拡大図であり、図７は本発明の第１実施形態に係るラインタイプの照明装置の正断面図であり、図８は図７のＡ−Ａ’線の断面図である。
【００６６】
まず、図５および図６に示すように、設置レール１００のハウジング１１０は、設置台上面Ｃに直接固定され、ハウジング１１０の内側面のうちの開口領域と向かい合う内側面には、絶縁部材１２０が固定される。絶縁部材１２０の底面中央両側に離隔配置されたレール溝１２１には、電源供給端子１３０がそれぞれ挿入される。
【００６７】
ハウジング１１０の開口を介して収容空間１１１に照明モジュール２００を挿入すると、照明モジュール２００の照明本体２１０の上端部両側に形成された第２結合部２６１が絶縁部材１２０の第１結合部１２３にそれぞれ挿入されながら互いに噛み合って、照明モジュール２００とハウジング１１０との結合された状態が維持される。
【００６８】
照明モジュール２００がハウジング１１０の収容空間１１１に挿入された状態では、照明モジュール２００の上部カバー２６０に設けられた突出挿入部２６２が絶縁部材１２０に固定されている一対の電源供給端子１３０間にある収容溝１２２に挿入される。
【００６９】
照明モジュール２００は、本体２１０の上側内部空間に電源供給部２３０が固定された回路基板２２０が配置され、上部開口部２１１が上部カバー２６０により閉じられ、下側内部空間に発光素子２７０が長さ方向に配置される。
【００７０】
電源接続端子２４０は、下端部が回路基板２２０に固定された状態で、上端部が上部カバー２６０の突出挿入部２６２内に自由端の形態で配置され、電源接続端子２４０の上端部に設けられた接触突起２４１が、突出挿入部２６２の側面に形成された開口孔２６２ａを介して突出挿入部２６２の外側に突出する。
【００７１】
電源供給端子１３０は、レール溝１２１に収容された状態で離隔空間１２２と向かい合う面に形成された開口溝１２１ａを介して露出する。したがって、突出挿入部２６２の外側に突出した電源接続端子２４０の接触突起２４１が開口溝１２１ａを介して露出した電源供給端子１３０の側面部に接触しながら、電源接続端子２４０および電源供給端子１３０が電気的に連結される。
【００７２】
一対の電源接続端子２４０は、電源接続端子２４０間の空間に弾力的に挿入されている弾性部材２５０により電源供給端子１３０に向かって、それぞれ弾性支持されるため、密着した状態を維持することになり、絶縁材質の弾性部材２５０により一対の電源接続端子２４０が互いに電気的な絶縁状態を維持することになる。
【００７３】
上記のように照明モジュール２００は、ハウジング１１０の内部収容空間１１１に挿入された状態で、第１結合部１２３と第２結合部２６１とが互いに噛み合って結合された状態を維持することになり、電源接続端子２４０が電源供給端子１３０に接触して電源の印加を受ける。電源接続端子２４０を介して照明モジュール２００に供給された電源は、ＳＭＰＳ２３０を経て発光素子２７０に伝達される。
【００７４】
本実施形態によれば、照明モジュール２００を設置レール１００のハウジング１１０の内側収容空間１１１に垂直方向に単純に押込むことによって組み立てられるとともに電源が印加されて点灯するように構成されているため、照明モジュール２００の設置および分解が容易である。特に、照明モジュール２００は、ハウジング１１０の収容空間１１１に組み立てられた状態においても、収容空間１１１の長さ方向に自由に移動可能であるため、照明モジュール２００が点灯された状態でも簡便に位置移動することができる。
【００７５】
また、照明モジュール２００の第２結合部２６１は、ハウジング１１０の第１結合部１２３と噛み合う状態で照明モジュールの分離方向、すなわち垂直方向に結合力を提供するため、照明モジュール２００がハウジング１１０から任意に離脱して、設置台上面から落下することが防止される。
【００７６】
また、電源接続端子２４０は、突出挿入部２６２の内側に収容されているため、照明モジュール２００をハウジング１１０に設置または分離する過程で外力によって電源接続端子２４０が損傷することが防止される。
【００７７】
続いて、図７および図８に示すように、設置レール１００のハウジング１１０端部には、エンドギャップ１４０が組み立てられて、ハウジング１１０の側端部を閉じる。上記のように、ハウジング１１０の側端部にエンドギャップ１４０の端部を挿入すると、一対の電源プラグ１４２がハウジング１１０にあらかじめ設置された一対の電源供給端子１３０にそれぞれ電気的に接続し、同時に接地プラグ１４１がハウジング１１０の内壁面にそれぞれ電気的に接続する。
【００７８】
したがって、外部電源ラインに連結されている電源プラグ１４２を介して電源供給端子１３０に電源を印加し、接地プラグ１４１を介して導電性材質からなるハウジング１１０を外部接地ラインと連結して接地する。
【００７９】
添付図面のうち、図９および図１０は本発明の第１実施形態に係るラインタイプの照明装置の設置レールから照明モジュールを分離する過程を示す作用図である。
【００８０】
まず、図９に示すように、設置レール１００に照明モジュール２００が結合された状態で、照明モジュール２００は、第２結合部２６１が設置レール１００側の第１結合部１２３に噛み合って結合状態が維持される。
【００８１】
第１結合部１２３および第２結合部２６１は、相互に対向する面にそれぞれ形成された突起部１２３ａ，２６１ａが互いに噛み合っているため、照明モジュール２００がハウジング１１０から任意に分離することが防止される。（図５参照）
【００８２】
一方、照明モジュール２００の長さが長い場合には、照明モジュール２００の両端部に第２結合部２６１を配置し、安定的に結合された状態を維持することができる。
【００８３】
この際、突起形態からなった第２結合部２６１は、溝形態からなった第１結合部１２３に結合された状態であり、照明モジュール２００の上部カバー２６０の上側面は絶縁部材１２０の下側面から離隔された状態であり、照明モジュール２００の第２結合部２６１は、本体２１０の端部から本体２１０の中央に向かって所定間隔離隔された位置に配置されている。
【００８４】
図１０に示すように設置レール１００から照明モジュール２００を分離しようとする場合には、片手で第２結合部２６１が照明本体１１０の端部から離隔配置されている一側端部を上側方向に加圧し、もう一方の手では照明本体２１０の他側端部を引き下ろすと、照明モジュール２００の他側端部の第２結合部２６１が第１結合部１２３から分離しながら照明モジュール２００が一側端部の第２結合部２６１を中心に回動して照明モジュール２００の他側端部が設置レール１００から離脱するようになる。この際、照明モジュール２００の一側端部では、第２結合部２６１と第１結合部１２３とが噛み合う状態を維持しているため、照明モジュール２００が落下することが防止される。
【００８５】
続いて、照明モジュール２００の他側端部を持って照明モジュール２００を分離方向に引っ張ると、照明本体２１０の一側端部の第２結合部２６１が第１結合部１２３から分離するため、設置レール１００から照明モジュール２００を簡単に分離することができる。
【００８６】
特に、使用者が照明モジュール２００の一端部を分離方向に引っ張る場合には、第２結合部２６１の突起部２６１ａの端部に形成された傾斜面２６１ｂによって、第２結合部２６１の突起部２６１ａが第１結合部１２３の突起部１２３ａから離脱することになり、照明モジュール２００をハウジング１１０から簡単に分離することができる。
【００８７】
すなわち、照明モジュール２００が垂直方向に挿入および分離するため、複数の照明モジュール２００を一列に密着配置して照明の連続性を提供するラインタイプの照明を構成した状態で、いずれか１つの照明モジュール２００を分離または再挿入することが容易であるため、簡便に維持・保守することができる。また、作業者が設置レール１００から照明モジュール２００を分離したり結合したりする過程で身体の部分と接触する部分がすべて絶縁材質からなるため、感電事故の危険を最小限に抑えることができる。
【００８８】
本発明の実施形態によれば、照明モジュール２００をハウジング１１０の収容空間１１１内部に向かって垂直方向に押込む作用のみで照明モジュール２００が設置レール１００と構造的に連結され、電気的な接続も共になされるため、照明モジュール２００の設置が非常に簡便である。また、照明モジュール２００がハウジング１１０の収容空間１１１内に収容された状態では、長さ方向に移動可能な状態となるため、使用者の必要に応じて、照明モジュール２００の位置を簡単に移動することが可能となる。また、照明モジュール２００を設置レール１００から分離する場合には、照明モジュール２００の両側端部をそれぞれ順に分離方向に引っ張ることのみで分離が可能である。
【００８９】
添付図面のうち、図１１は本発明の第１実施形態に係るラインタイプの照明装置の電源供給端子から電源接続端子が離脱する過程を示す作用図である。
【００９０】
上記のように、照明モジュール２００を分離方向に引っ張って設置レール１００から分離した状態で、絶縁部材１２０のレール溝１２１にそれぞれ収容された電源供給端子１３０は、レール溝１２１に設けられた開口溝１２１ａを介してレール溝１２１間の離隔空間１２２に向かってのみ露出するため、感電の危険を最小限に抑えることができる。
【００９１】
一方、照明モジュール２００の電源接続端子２４０は、下端部が回路基板２２０側に固定された状態で、上端部が突出挿入部２６２の内側に固定されていない状態で収容され、電源接続端子２４０の上端部は、一対の電源接続端子２４０間に配置された弾性体によって、電源供給端子１３０に向かって弾性支持される状態となる。
【００９２】
すなわち、電源接続端子２４０の接触突起２４１は、突出挿入部２６２がレール溝１２１間にある離隔空間１２２に挿入または離脱する過程で、突出挿入部２６２の開口孔２６２ａ内側方向に向かって移動可能な状態となる。したがって、接触突起２４１の外側面に圧力が加えると、接触突起は突出挿入部２６２の開口孔２６２ａの内側方向に向かって陥没し、この過程で接触突起２４１の後方を支持する弾性部材２５０が弾性圧縮される。一方、接触突起２４１の外側面に加える圧力が解除されると、弾性部材２５０が弾性復元しながら接触突起２４１を突出方向に押し出す。
【００９３】
上記のように、一対の電源接続端子２４０は、弾性部材２５０によって互いに絶縁され、各電源接続端子２４０の接触突起２４１が弾性部材２５０の弾性力によって、突出方向に弾性支持されるため、照明モジュール２００が設置レール１００に挿入された状態では、接触突起２４１が電源供給端子１３０に弾力的に接触した状態を維持することになる。したがって、設置レール１００の収容空間１１１内で照明モジュール２００を長さ方向に移動しても照明モジュール２００に安定した電源供給状態を維持することができることになる。
【００９４】
次に、本発明の第２実施形態に係るラインタイプの照明装置について説明する。
【００９５】
添付図面のうち、図１２は本発明の第２実施形態に係るラインタイプの照明装置の分解斜視図であり、図１３は本発明の第２実施形態に係る連結部材の分解斜視図であり、図１４は本発明の第２実施形態に係るラインタイプの照明装置の側断面図であり、図１５は本発明の第２実施形態に係るラインタイプの照明装置の平断面図である。
【００９６】
図１２および図１３に示すように、本発明の第２実施形態に係るラインタイプの照明装置は、設置レール１００が複数のハウジング１１０で構成され、複数のハウジング１１０間を連結する連結部材１５０を設けて、各ハウジング１１０に設置された電源供給端子１３０を電気的に連結する点で、前述した第１実施形態と差異がある。
【００９７】
連結部材１５０は、隣接配置される一対のハウジング１１０の収容空間１１１にそれぞれ垂直方向に着脱可能に挿入される挿入本体１５１と、該挿入本体１５１の上面に下端部が固定されてハウジング１１０の電源供給端子１３０に接続する電源接続端子１５２と、挿入本体１５１の上面両側から垂直方向に突出して絶縁部材１２０の第１結合部１１５に結合する第２結合部１５３と、電源供給端子１３０と対面する側面部に電源接続端子１５２が露出する開口孔１５４ａが形成されて、電源接続端子１５２の上端を囲む突出挿入部１５４と、電源接続端子１５２の後方に配置されて、電源接続端子１５２を弾性支持する絶縁材質の弾性部材１５７と、複数の挿入本体１５１にそれぞれ固定された電源接続端子１５２を連結する導電性ケーブル１５５と、ジャバラ形態のしわを有するチューブ形態からなり両側端部が挿入本体１５１の端部の枠にそれぞれ固定され、一対の挿入本体１５１を連結する可撓性チューブ１５６とを備えて構成される。
【００９８】
一方、本実施形態においては、電源接続端子１５２、第２結合部１５３および突出挿入部１５４は、照明モジュール２００の電源接続端子２４０、第２結合部２６１および突出挿入部２６４と同様になされるため、これに対する具体的な説明は省略する。
【００９９】
図１４および図１５を参照して、連結部材１５０の結合構造および連結部材１５０とハウジング１１０との結合構造をみると、次の通りである。
【０１００】
設置台上面の角と同じ所定の夾角を有するように配置または、一列に配置される複数のハウジング１１０は、ハウジング１１０の連結部位に配置される連結部材１５０によってそれぞれ電気的に接続される。
【０１０１】
すなわち、複数設けられる挿入本体１５１がハウジング１１０の連結部位で両側ハウジング１１０の収容空間１１１にそれぞれ挿入されると、挿入本体１５１がハウジング１１０側に結合されるとともに電源接続端子１５２が電源供給端子１３０に接触しながら電気的に接続される。
【０１０２】
図１４を参照して、より具体的にみると、電源接続端子１５２は、下端部が挿入本体１５１に固定された状態で上端部が電源供給端子１３０に弾力的に接続される。この際、電源接続端子１５２は、弾性部材１５７によって電源供給端子１３０に向かって弾性支持された状態になるため、電源供給端子１３０と安定した電源接続をなすことになる。また、挿入本体１５１の上面両側にそれぞれ長さ方向に突出形成された第２結合部１５３は、ハウジング１１０側の第１結合部１２３にそれぞれ挿入されて結合状態を維持するため、第１結合部１２３から第２結合部１５３が任意に分離することを防止する。
【０１０３】
続いて、図１５に示すように、両側の挿入本体１５１がそれぞれ、隣接配置された一対のハウジング１１０の端部にそれぞれ挿入されると、各挿入本体１５１の電源接続端子１５２は、導電性ケーブル１５５によって連結されるため、複数のハウジング１１０に設けられる電源供給端子１３０が連結部材１５０によって電気的に連結される。この際、連結部材１５０は、導電性ケーブル１５５によって角度が自由に調節されるため、従来のように、設置台上面Ｃの施工誤差によって施工品質が低下することを防止することができる。
【０１０４】
また、導電性ケーブル１５５は、両端部の枠が挿入本体１５１にそれぞれ固定された可撓性チューブ１５６の内側に収容されるため、設置レール１１０が施工された状態で不必要に導電性ケーブル１５５が外部に露出し、製品の品位が低下することを防止することができる。特に、前記のような連結部材１５０は、従来の「Ｌ」字状の角の連結部材のようにハウジング１１０の夾角をあらかじめ設定された角度に制限しないため、様々な形態の照明を演出したり配置したりすることが可能になる。
【０１０５】
また、本実施形態に係る連結部材１５０は、ハウジングを設置台上面Ｃに先に設置した後、ハウジング１１０の連結部位にそれぞれ垂直方向に挿入し、一対のハウジング１１０を電気的に連結することが可能であるため、複数のハウジング１１０を連結した状態で一度に設置台上面Ｃに設置しなければならない不便さを改善することができる。
【０１０６】
一方、直線区間で複数のハウジング１１０を連結する場合には、図１２に示すように、ハウジング１１０に長さ方向に摺動可能に結合される固定ブラケット１９０および連結ブリッジ１９１の両端部がそれぞれ隣接配置された一対のハウジング１１０の端部に連結されることにより、直線区間のハウジング１１０が段差なしで構造的剛性を維持しながら連結されることができる。この際、一対のハウジング１１０間に配置される連結部材１５０は、両側の挿入本体１５１が導電性ケーブル１５５により連結されて、夾角が自由に調節されるため、直線区間のハウジング１１０間に配置することも可能である。また、固定ブラケット１９０と連結ブリッジ１９１のうちの少なくともいずれか１つは、導電性材質で構成して複数のハウジング１１０が電気的に連結されて接地されるように構成することも可能である。
【０１０７】
次に、本発明の第３実施形態に係るラインタイプの照明装置について説明する。
添付図面のうち、図１６は本発明の第３実施形態に係るラインタイプの照明装置の側面部材の適用状態を示す断面図であり、図１７および図１８は本発明の第３実施形態に係るラインタイプの照明装置の適用例を示す断面図である。
【０１０８】
まず、図１６に示すように、設置レール１００のハウジング１１０側面には、ハウジング１１０の設置形態に応じて様々な形態の側面部材１６０が着脱可能に組み立てられるように構成することができる。すなわち、アルミニウムのような導電性金属材質からなるハウジング１１０の側面には、ハイグロス（ｈｉｇｈ  ｇｌｏｓｓｙ）のようなコーティング層が表面に形成された単純プレート状の第１側面部材１６０ａと下端部に掛かり顎部１６２が折曲形成されて「Ｌ」字の端面の形状を有する第２側面部材１６０ｂのうちのいずれか１つが選択的に組み立てられるようにすることができる。
【０１０９】
第１側面部材１６０ａは、ハウジング１１０が室内空間に露出するように設置される場合に、ハウジング１１０の側面に設置されるものであって、色や表面材質などが外装仕上げ用に選択され、設置レール１００の外観を多様な雰囲気で仕上げるように構成される。
【０１１０】
第２側面部材１６０ｂは、ハウジング１１０が設置台上面に埋込み設置される場合に、ハウジング１１０の側面に設置されるものであって、下端部に水平方向に折曲形成された掛かり顎部１６２が設置台上面Ｃの設置溝Ｃ１の外側周辺に支持され、ハウジング１１０の挿入位置を案内し、ハウジング１１０と設置溝Ｃ１との間にある離隔された隙間を閉じる。
【０１１１】
一方、第１側面部材１６０ａと第２側面部材１６０ｂのハウジング１１０と対向する面には、一対の第２締結部１６１が並んでいる方向に離隔配置され、ハウジング１１０の外側の側面には、第２締結部１６１と噛み合う第１締結部１１２がそれぞれ形成される。
【０１１２】
図１７は、本発明ラインタイプの照明装置が露出型で設置された状態を示すものであって、ハウジング１１０の側面には、単純プレート状の第１側面部材１６０ａが固定されている。すなわち、第１側面部材１６０ａの内側面に形成された第２締結部１６１がハウジング１１０の側面に形成された第１締結部１１２に噛み合いながら、第１側面部材１６０ａがハウジング１１０の側面部に結合された状態となる。
【０１１３】
一方、図面のように、第１側面部材１６０ａをハウジング１１０の側面に上下方向に配置して多様な色で構成することも可能である。また、ハウジング１１０は、上側面を設置台上面Ｃに直接締結固定するか、図面のように、ワイヤなどの結束機構を介して設置台上面Ｃにあらかじめ設置される固定ブラケット１９０をハウジング１１０の上側面に着脱可能に固定し、設置レール１００を設置台上面Ｃに垂れ下がった状態で設置することも可能である。
【０１１４】
特に、ハウジング１１０を導電性金属材質で構成して、ハウジング１１０に接地ラインを連結した状態で、ハウジングの外側面を第１側面部材１６０ａで装飾するものであるため、従来のようにハウジング１１０の外表面全体に粉体塗装した後、熱処理しなければならないわずらわしい塗装過程を省略することができる。
【０１１５】
図１８は、本発明ラインタイプの照明装置が埋込み型で設置された状態を示すものであって、ハウジング１１０の側面には、下端部に掛かり顎部１６２が折曲形成されて「Ｌ」字の断面の形状を有する第２側面部材１６０ｂが固定されている。これらの第２側面部材１６０ｂは、第１側面部材１６０ａと同様に第２結合部１６２がハウジング１１０に設けられた第１結合部１１２に結合されてハウジング１１０側に固定される。
【０１１６】
ハウジング１１０の上側面には、両側に傾斜配置された弾性片１７１を有する固定部材１７０が調節部材１８０によってハウジング１１０の上側面から垂直方向、すなわち設置台上面Ｃの厚さ方向に移動可能に配置され、弾性片１７１の端部には、弾性片１７１が弾性復元された状態で設置台上面Ｃの内側面と略垂直をなす支持片１７２が形成される。
【０１１７】
前記のようなハウジング１１０の上面に固定部材１７０が結合された状態から、ハウジング１１０を設置台上面Ｃの設置溝Ｃ１に押込むと、固定部材１７０の傾斜配置された弾性片１７１がハウジング１１０の側面部に向かって密着しながら弾性圧縮されてから、弾性片１７１の末端部が設置溝Ｃ１を通過する瞬間弾性復元されながらハウジング１１０の側面から離隔される方向に拡がる。
【０１１８】
このような状態において、ハウジング１１０の上面を垂直方向に貫通して固定部材１７０にネジ結合されている調節部材１８０を回転させると、固定部材１７０が調節部材１８０の回転によって下降しながら設置台上面Ｃの内側面に密着することになり、このような作用によって第２側面部材１６０ｂの掛かり顎部１６２が設置台上面Ｃの外側面に密着するため、ハウジング１１０が設置台上面Ｃに堅固に固定された状態となる。
【０１１９】
また、弾性片１７１の端部に形成されて設置台上面の内側面に支持される支持片１７２は、設置台上面Ｃの内側面と略垂直の夾角をなすように配置されているため、弾性片１７１が任意に位置移動しながら固定部材１７０と掛かり顎部１６２との間の間隔が変更されることを防止することができる。
【０１２０】
特に、設置溝Ｃ１とハウジング１１０との間に形成される隙間は、弾性片１７１の通過のために必須に要求され、隙間を決定する設置溝Ｃ１の大きさは、施工形態や方法などに応じ、異なって設定されることができる。したがって、掛かり顎部１６２の長さが互いに異なる第２側面部材１６０ｂを複数設けて、設置溝Ｃ１とハウジング１１０との間に形成される隙間に対応する掛かり顎部１６２を有する第２側面部材１６０ｂを選択して、ハウジング１１０の側面部に結合することが可能であるため、隙間の大きさに応じて様々な種類のハウジング１１０を別に製作しなくても良いという効果がある。
【０１２１】
一方、ハウジング１１０を設置台上面Ｃの設置溝Ｃ１から分離しようとする場合には、調節部材１８０を逆方向に回転させると、調節部材１８０にネジ結合された固定部材１７０が上側方向に移動しながらハウジング１１０の上側面から分離されるため、簡便にハウジングを設置台上面Ｃから分離することができる。
【０１２２】
本発明の権利範囲は、前述した実施形態に限定されるものではなく、添付した特許請求の範囲内で様々な形態の実施形態に具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【産業上の利用可能性】
【０１２３】
本発明は、ラインタイプの照明装置に関する。より詳しくは、照明モジュールを設置するための設置レールを構成するにおいて、複数のハウジングが簡便に連結し、構造的な連結過程で電気的な連結を同時することにより、簡便に施工することができるラインタイプの照明装置に関する。
【図１】
0005981657.tif 000002
【図２】
0005981657.tif 000003
【図３】
0005981657.tif 000004
【図４】
0005981657.tif 000005
【図５】
0005981657.tif 000006
【図６】
0005981657.tif 000007
【図７】
0005981657.tif 000008
【図８】
0005981657.tif 000009
【図９】
0005981657.tif 000010
【図１０】
0005981657.tif 000011
【図１１】
0005981657.tif 000012
【図１２】
0005981657.tif 000013
【図１３】
0005981657.tif 000014
【図１４】
0005981657.tif 000015
【図１５】
0005981657.tif 000016
【図１６】
0005981657.tif 000017
【図１７】
0005981657.tif 000018
【図１８】
0005981657.tif 000019